(57)【要約】【課題】洗いムラが少なく、洗髪力の加減が容易な洗髪用ブラシを提供する。【解決手段】ブラシ柄２に略半球状の洗髪部３を設ける。洗髪部３にはブラシ柄２から放射状に伸長する可撓性のある複数のブラシ突起６を設ける。洗髪部３を略半球状に形成し、ブラシ突起６を基端６ａから先端６ｂへ向けて半球面内で湾曲するように形成する。ブラシ突起の基端部間に各ブラシ突起の基端部を補強する補強部７を設け、ブラシ先端６ｂには丸みを設ける。【選択図】図１
2018078988.tif 000002
【特許請求の範囲】
【請求項１】
使用者が手に持つブラシ柄部と、頭髪を洗う洗髪部とを備え、
前記洗髪部が複数の可撓性を有するブラシ突起を含み、
前記ブラシ突起が、ブラシ柄部を中心に放射状に伸長され、かつ、前記ブラシ突起が基端から先端へ向けて曲げられていることを特徴とする洗髪用ブラシ。
【請求項２】
前記洗髪部が全体として半球状に形成され、前記突起が半球球面内に配置されている請求項１に記載の洗髪用ブラシ。
【請求項３】
前記洗髪部が、隣接する前記ブラシ突起の基端部間に各ブラシ突起の基端部を補強する補強部を備えた請求項１または２に記載の洗髪用ブラシ。
【請求項４】
前記ブラシ突起の先端に丸みが設けられている請求項１〜３のいずれかに記載の洗髪用ブラシ。
【請求項５】
前記洗髪部の内側中心部に頭皮を押圧する小突起が設けられた請求項１〜４のいずれかに記載の洗髪用ブラシ。
【発明の詳細な説明】
【技術分野】
【０００１】
本発明は、頭髪の洗いムラが少なく、洗髪力の加減が容易な洗髪用ブラシに関するものである。
【背景技術】
【０００２】
従来、水や洗髪料を含んだ状態でもスムーズに頭髪にブラシが通る洗髪用ブラシが知られている。例えば、特許文献１には、ブラシに円錐形の突起を採用して頭髪からの抵抗を軽減し、ブラシ通りをスムーズにした洗髪用ブラシが記載されている。
【先行技術文献】
【特許文献】
【０００３】
【特許文献１】実登−２５２４４７５号公報
【発明の概要】
【発明が解決しようとする課題】
【０００４】
しかし、特許文献１の洗髪用ブラシ１１を頭部Ｈに用いると、図６に示すように、球面状の頭部Ｈに強く当たるブラシ突起１２ａ、弱く当たる突起１２ｂ、全く当たらない突起１２ｃが生じる。このように当たり具合が不均一であると、当たりの強い部分ではしっかりと洗えるものの、当たりが弱かったり、当たらない部分については洗いが不十分となり、洗いムラが生じる可能性があった。
【０００５】
また、特許文献１の洗髪用ブラシ１１では、ブラシ突起の材質の硬さによって頭皮に伝わる力加減が変わる。例えば、ブラシ突起の材質が硬ければ強く当たりすぎ、逆に柔らかければ所望の刺激が得られないなど、洗髪力の加減が難しいという問題があった。
【０００６】
そこで、本発明の目的は、洗いムラが少なく、洗髪力の加減が容易な洗髪用ブラシを提供することにある。
【課題を解決するための手段】
【０００７】
上記課題を解決するために、本発明の洗髪用ブラシは以下のように構成した。
（１）使用者が手に持つブラシ柄部と、頭髪を洗う洗髪部とを備え、洗髪部が複数の可撓性を有するブラシ突起を含み、ブラシ突起が、ブラシ柄部を中心に放射状に伸長され、かつ、ブラシ突起が基端から先端へ向けて曲げられていることを特徴とする洗髪用ブラシ。
（２）洗髪部が全体として半球状に形成され、突起が半球球面内に配置されている請求項１に記載の洗髪用ブラシ。
（３）洗髪部が、隣接するブラシ突起の基端部間に各ブラシ突起の基端部を補強する補強部を備えた（１）または（２）に記載の洗髪用ブラシ。
（４）ブラシ突起の先端に丸みが設けられている（１）〜（３）のいずれかに記載の洗髪用ブラシ。
（５）洗髪部の内側中心部に頭皮を押圧する小突起が設けられた（１）〜（４）のいずれかに記載の洗髪用ブラシ。
【発明の効果】
【０００８】
本発明の洗髪用ブラシによれば、ブラシ突起が基端から先端へ向けて曲がりつつ放射状に広がっているから、ブラシを頭部のどの箇所へ配置してもほぼ均一に頭皮をブラシ突起により押圧でき、洗いムラが生じ難いという優れた効果を奏する。
【０００９】
また、使用者がブラシ柄を頭皮面に対して押し付けると、可撓性を有する突起端部が放射状に頭皮表面を滑動するため、複数の突起全体としての頭皮押圧力を容易に加減できるという優れた効果を奏する。
【図面の簡単な説明】
【００１０】
【図１】本発明の洗髪用ブラシを示す斜視図である。
【図２】洗髪用ブラシの（ａ）平面図、（ｂ）正面図である。
【図３】洗髪用ブラシの（ａ）底面図、（ｂ）斜視図である。
【図４】洗髪用ブラシを頭部の各箇所へ当てた状態を示す正面図および斜視図である。
【図５】洗髪用ブラシの使用状態を示す正面図である。
【図６】従来の洗髪用ブラシの使用状態を示す正面図である。
【発明を実施するための形態】
【００１１】
以下、本発明の一実施形態を図面に基いて説明する。図１に示す洗髪用ブラシ１は、使用者が手に持つブラシ柄部２と、使用者の髪を洗う洗髪部３を備えている。ブラシ柄部２は使用者が掴みやすい形状の取手４を含む。洗髪部３は、取手４に取り付けられる首部５と複数のブラシ突起６を含む。各ブラシ突起６は、基端６ａから先端６ｂへ向けて外側に曲がっている。また、先端６ｂには滑らかな丸みが設けられている。
【００１２】
図２（ａ）は洗髪用ブラシ１の平面図である。洗髪部３の首部５から複数のブラシ突起６が放射状に伸長し、ブラシ突起６の基端６ａ間にはブラシ突起６を補強するための補強部７が設けられている。洗髪部３は、図２（ｂ）に示すように全体として略半球状に形成され、各ブラシ突起６が半球面内に等間隔をおいて配列されている。
【００１３】
図３（ａ）は洗髪用ブラシ１の底面図であり、（ｂ）は底面方向から見上げた場合の斜視図である。図３（ａ），（ｂ）に示すように、洗髪部３の内側中央には頭皮をマッサージするための小突起８が形成されている。
【００１４】
次に、洗髪用ブラシ１を用いた洗髪動作について説明する。図４（ａ），（ｂ）は、洗髪用ブラシ１を頭部Ｈの頭頂部または頭側部に配置した様子を示している。この図の洗髪用ブラシ１によれば、各ブラシ突起６がブラシ柄部２を中心にして放射状に伸長するように形成されているので、（ａ），（ｂ）いずれの場合においても全てのブラシ突起６の先端６ｂが頭部Ｈに均一に接する。このため、頭部表面上で洗髪用ブラシ１を自在に移動させて頭皮を擦るように洗髪を行った場合に、洗いムラが生じにくいという優れた効果がある。
【００１５】
また、洗髪用ブラシ１を頭部Ｈへ緩めに配置すると、図５（ａ）に示すように複数のブラシ突起６の先端６ｂが頭部Ｈ表面に接した状態になる。次に、取手４を掴み、洗髪部３を頭部Ｈ中心方向へ向けて押圧すると、突起６の可撓性によって図５（ｂ）に示すように先端６ｂが頭皮上を滑って放射状に広がる。押圧力を解除すると、ブラシ突起６の弾性によって図５（ａ）の状態に戻る。このように取手４の操作によって洗髪の力加減を容易に行いつつ、図５（ａ），（ｂ）矢印に示すように洗髪を行うことができるという優れた効果がある。また、隣接するブラシ突起の先端６ｂ−６ｂの間が広く形成されているため、洗髪の際に髪が洗髪用ブラシ１に絡まらず、容易に頭皮に届くという効果もある。
【００１６】
その他、補強部７によりブラシ突起６の基部が補強されているため、強めに頭部に押し当てても形状がくずれ難いうえ、ブラシ突起６に適度の剛性を付与でき、しかも先端６ｂが滑らかに形成されていることにより頭皮を傷つける恐れもない。また、図５（ｂ）のように、先端６ｂが広がると小突起８が頭皮に押し当てられ、小突起８の先端部で頭皮を刺激し、ツボ押しを行うこともできる。
【００１７】
本発明の洗髪ブラシ１の洗髪部３の素材としてプラスチック、ポリエチレン、ＡＢＳ等の樹脂、グラスファイバー、またはゴム状弾性体が採用できる。ブラシ突起６の可撓性としては、押圧の力が加わった場合に洗髪部３が開ききり、ほぼ平面状となる程度が好適である。また、小突起８の形状は先端部にかけて細く形成されていればよく、例えば、円柱の他に三角錐、四角錐などが考えられる。さらに、小突起８は複数設けられていても良い。ブラシ突起６の本数としては、６〜１２本が好適であるが、状況に応じて加減することも考えられる。その他、本発明は、上記実施形態に限定されるものではなく、発明の趣旨を逸脱しない範囲で、洗髪部３の材質や形状を適宜に変更して実施することも可能である。
【符号の説明】
【００１８】
１    洗髪用ブラシ
２    ブラシ柄部
３    ブラシ洗髪部
４    持手
５    首部
６    ブラシ突起
７    補強部
８    小突起
【図１】
2018078988.tif 000003
【図２】
2018078988.tif 000004
【図３】
2018078988.tif 000005
【図４】
2018078988.tif 000006
【図５】
2018078988.tif 000007
【図６】
2018078988.tif 000008